(57)【要約】【課題】電子機器において、簡単な手段で確実に上部ユニットを傾斜した開状態に保持出来る電子機器を提供する事を目的とする。【解決手段】電子機器本体１の下部ユニット３の内側にスライド可能なスライド部材１９を備え、このスライド部材１９を使用しないの状態の位置と使用する状態の位置に保持出来る選択手段を有し、使用する状態の時はスライド部材１９の先端部２３が下部ユニット３より突出し上部ユニット２の側面３３を係止する事で上部ユニット２を傾斜の状態位置にすることができる。【選択図】      図３
2004280746.tif 000002
【特許請求の範囲】
【請求項１】
上部ユニットと下部ユニットとをヒンジ部を介して開閉させる電子機器において、前記上部ユニットと下部ユニットとのいずれか一方のユニットに設けられ、前記一方のユニットに収納された状態と、前記一方のユニットの側面から突出し先端が他方のユニットの側面に係止して前記両ユニットを傾斜した開状態に保持する状態とに切り替えられる突出部材
を備えた事を特徴とする電子機器。
【請求項２】
更に、前記突出部材を手動で前記一方のユニットから突出させるための摘み部材が設けられている事を特徴とする請求項１に記載の電子機器。
【請求項３】
前記突出部材は前記下部ユニットに設けられており、前記突出部材を手動で前記下部ユニットから突出させるための摘み部材が前記下部ユニットの下面に設けられている事を特徴とする請求項１に記載の電子機器。
【請求項４】
前記突出部材は、前記両ユニットを傾斜した開状態から全開状態に開いた際に前記他方のユニットの側面で押圧されて前記一方のユニットに収納される事を特徴とする請求項１に記載の電子機器。
【請求項５】
更に前記突出部材を前記両ユニットを傾斜した開状態に保持する弾性部材
が設けられている事を特徴とする請求項１に記載の電子機器。
【請求項６】
前記上部ユニットには表示装置が設けられ、前記下部ユニットには入力装置が設けられている事を特徴とする請求項１に記載の電子機器。
【発明の詳細な説明】
【０００１】
【発明の属する技術分野】
本発明は上部ユニットと下部ユニットとが回動可能な電子機器に関する。
【０００２】
【従来の技術】
従来、電子手帳、電子辞書等の電子機器においては、例えば、上部ケース（上部ユニット）と下部ケース（下部ユニット）とはヒンジ機構で連結され、使用しない時は折り畳み、使用時は開いて使用する構造のものが知られている。
【０００３】
そして、ヒンジ機構としては摩擦機構又はロック機構等の構造のものを用い、上部ケースと下部ケースとは摩擦機構又はロック機構により傾斜した状態に保持する事が行われている。（例えば、特許文献１参照。）。
【０００４】
【特許文献１】
実開平６−５８２３１号公報
【０００５】
【発明が解決しようとする課題】
しかしながら、摩擦機構やロック機構を備えたヒンジ機構を用いて電子機器の上部ケースと下部ケースとを傾斜した状態で保持できるようにしようとすると、ヒンジ機構が構造的に部品点数が多くなり、形状も大きくなる為、電子機器自体も大きくなってしまうという欠点があった。更に複雑なヒンジ機構を用いる為にコストも高くなってしまう欠点があった。
【０００６】
本発明は、このような従来の問題点を考慮してなされたものであり、簡単なヒンジ構造で且つ確実な手段で上部ケースと下部ケースの傾斜状態での保持が可能になる電子機器を提供することを目的とする。
【０００７】
【課題を解決するための手段】
上記目的を達成するため、請求項１の発明では、上部ユニットと下部ユニットとをヒンジ部を介して開閉させる電子機器において、前記上部ユニットと下部ユニットとのいずれか一方のユニットに設けられ、前記一方のユニットに収納された状態と、前記一方のユニットの側面から突出し先端が他方のユニットの側面に係止して前記両ユニットを傾斜した開状態に保持する状態とに切り替えられる突出部材を備えた事を特徴とする。
【０００８】
請求項１の発明によれば、前記上部ユニットと下部ユニットとのいずれか一方のユニットに設けられた突出部材を、前記一方のユニットの側面から突出させ先端を他方のユニットの側面に係止させるだけで前記両ユニットを傾斜した開状態に保持出来るので、構造上及びデザイン上の自由度が増すという効果を有するものである。
【０００９】
請求項２の発明は、更に、前記突出部材を手動で前記一方のユニットから突出させるための摘み部材が設けられている事を特徴とする。
【００１０】
請求項２の発明によれば、前記突出部材を手動で前記一方のユニットから突出させるための摘み部材が設けられている為、電子機器の外側から容易に摘み部材をスライドさせ前記突出部材を突出させることができるという効果を有するものである。
【００１１】
請求項３の発明は、前記突出部材は前記下部ユニットに設けられており、前記突出部材を手動で前記下部ユニットから突出させるための摘み部材が前記下部ユニットの下面に設けられている事を特徴とする。
【００１２】
請求項３の発明によれば、前記突出部材は前記下部ユニットに設けられており、前記突出部材を手動で前記下部ユニットから突出させるための摘み部材が前記下部ユニットの下面に設けられている為、下部ユニットの外側から容易に摘み部材をスライドさせ前記突出部材を突出させることができるという効果を有するものである。
【００１３】
請求項４の発明は、前記突出部材は、前記両ユニットを傾斜した開状態から全開状態に開いた際に前記他方のユニットの側面で押圧されて前記一方のユニットに収納される事を特徴とする。
【００１４】
請求項４の発明によれば、前記突出部材は前記両ユニットを傾斜した開状態から全開状態に開いた際に前記他方のユニットを押し開く事により前記他方のユニットの側面で前記突出部材が押圧されて前記一方のユニットに摘み部材をスライドさせることなく収納されるという効果を有するものである。
【００１５】
請求項５の発明は、更に前記突出部材を前記両ユニットを傾斜した開状態に保持する弾性部材が設けられている事を特徴とする。
【００１６】
請求項５の発明によれば、前記突出部材を前記両ユニットを傾斜した開状態に保持する弾性部材が設けられている為、前記両ユニットを傾斜した開状態に保持する状態と一方のユニットに収納状態に保持する状態とに切り替えられるという効果を有するものである。
【００１７】
請求項６の発明は、前記上部ユニットには表示装置が設けられ、前記下部ユニットには入力装置が設けられている事を特徴とする。
【００１８】
請求項６の発明によれば、前記上部ユニットには表示装置が設けられ、前記下部ユニットには入力装置が設けられている為、前記上部ユニットを傾斜状態に保持させることで入力装置に情報を入力する際、使用者に表示装置を見易くできるという効果を有する。
【００１９】
【発明の実施の形態】
以下に、本発明の実施の形態を図面を参照して説明する。
図１乃至図５は本発明の第一の実施の形態であり、図１は例えば電子辞書等の電子機器本体１の使用しない状態での外観図であり、図２は電子機器本体１の使用している状態の外観図であり、更に図３は図２の状態の裏側からの外観を示している。
【００２０】
図１に示す様に、電子機器本体１は上部ユニット２と下部ユニット３とヒンジ部４とからなり、上部ユニット２と下部ユニット３とがヒンジ部４を介して折り畳まれ、使用しない状態では横長の箱状形状となっている。
【００２１】
図２と図３において、前記電子機器本体１は使用する状態では前記ヒンジ部４を介して傾斜した状態に開かれている。前記上部ユニット２は上ケース５と上ケース蓋６とから構成され、この上ケース５の下方には円筒状のヒンジ４ａ、４ａが形成されている。このヒンジ４ａ、４ａにはヒンジ孔（図示せず）が形成されヒンジ軸７、７の一部が挿入されて回動可能になっている。また、前記上ケース５の中央部には開口８が形成されており、内部に配置された液晶表示装置９の表示面が視認出来るようになっている。更に前記上ケース５の上方には折り畳み状態の時に前記上部ユニット２と前記下部ユニット３とを閉じておく為のロック爪５ａが形成されている。尚、前記上部ユニット２の内部に配置された液晶表示装置９は、前記下部ユニット３の回路部（図示せず）から延出されたフィルム状の接続部材１０が電気的接続されている。
【００２２】
前記下部ユニット３は下ケース１１と下ケース底１２とから構成され、下ケース１１の上方には円筒状のヒンジ４ｂ、４ｂが形成されている。このヒンジ４ｂ、４ｂには前記ヒンジ軸７、７がヒンジ孔１３、１３に圧入されている。また、前記下ケース１１の上面には凹部１４が形成され、この凹部１４の底面には多数のキー釦１５ａを備えたキー入力部１５が備えられている。さらに、前記下部ケース１１の前記ヒンジ４ｂ、４ｂとは反対側の中央部には前記ロック５ａを係合するためのロック孔１６が形成されている。
図３は前記下部ユニット３の底面を構成する下部ケース底１２の斜視図であり、この下部ケース底１２には右下に電池蓋１７が備えられ、前記ヒンジ部４側のほぼ中央部に操作部１８が形成されている。操作部１８には下部ケース底１２の内部に樹脂部材で形成されたスライド部材１９が移動可能に配置されている。スライド部材１９は図５（ａ）に示す様にスライド摘み２１が一体成型されており、このスライド摘み２１は前記下部ケース底１２の開孔２０内に配置され、下部ケース１２の外部から手動で操作できる様に構成されている。また前記下部ケース底１２の開孔２０の右横には前記スライド摘み２１の選択位置を示す２つの印２２が刻印されているもので一方の刻印は電子機器本体１を使用しない通常位置、また、ヒンジ部４側の他方の刻印は電子機器本体１を使用する選択位置となっている。
【００２３】
図４はスライド部材１９を下部ユニット３の内部側から見たもので、この図４に示すように前記スライド部材１９には左右中央に凸部２４，２４を具備したバネ弾性部２５、２５が一体形成されている。スライド部材１９は前記下部ケース底１２の内側に方形に形成された位置決め用リブ２６の内部に配置されており、リブ２６の左右中央には保持溝２７，２７と保持溝２８，２８が形成されている。さらに前記スライド部材１９は回路基板２９で覆われることにより、回路基板２９、リブ２６、下部ケース底１２で形成される空間に配置されることになる。またスライド部材１９の先端部２３は下部ユニット３の側面、即ち下部ケース底１２の側面３２に形成された開孔３２ａから突出出来る様に構成されている。
上記の構成において、電子機器本体１を使用しない時は図１の様に上部ユニット２と下部ユニット３を折り畳んでおく。この時スライド部材１９は図５（ａ）に示す様に下部ケース底１２内部に収納されており、バネ弾性部２５，２５の凸部２４，２４が保持溝２８，２８に係止された状態で固定される。
【００２４】
電子機器本体１を使用する際にはスライド部材１９のスライド摘み２１を選択位置にスライドさせ先端部２３を開孔３２ａから突出させる。これによりバネ弾性部２５，２５の凸部２４，２４は前記保持溝２７，２７の位置で固定される。この状態で上部ユニット２を開くと前記先端部２３の先端が上部ユニット２の側面３３に当接する事で前記上部ユニット２は傾斜した開状態に保持され使用が可能になる。使用後は、前記上部ユニット２が傾斜位置に保持された状態から上部ユニット２を強制的に更に開くと前記上部ユニット２の側面３３の回動により前記先端部２３が前記下ケース底１２の内部に押し戻され、前記バネ弾性部２５，２５が変形し保持溝２７，２７から外れて前記保持溝２８，２８に保持される事により前記上部ユニット２を図５（ｃ）に示す様な全開の位置にする事ができる。この後、上部ユニット２を折り畳むことにより図１、図５の（ａ）で示した状態に戻る事が出来る。尚、前記上部ユニット２を折り畳まないで全開の状態で使用することも出来る。
【００２５】
図６乃至図８は本発明の第二の実施の形態であり、第一の実施の形態と同一構成部には同一符号を付して詳細な説明は省略する。然して、図６の電子機器４０は、例えば電子式卓上計算機であり上部ユニット２は傾斜状態と全開の状態を選択できるもので図６は上部ユニット２を傾斜させた状態、図７は全開（１８０度に開いた）状態を示している。
【００２６】
図８（ａ）は全開状態の断面図を示し、上部ユニット２のヒンジ４ａの近傍にはストッパ３４が形成されている。この状態でスライド部材１９をスライドして先端部２３を突出させると、上部ユニット２は上方に傾斜するが図８（ｂ）に示す様にストッパ３４が下部ユニット３に当接すると、それ以上の角度に傾斜できなくなる様に構成されている。
【００２７】
尚、本発明は実施の形態例に限定されるものではなく、本発明の趣旨を逸脱しない範囲で適宜変更可能である。例えば、スライド部材１９のバネ弾性部２５は片側でも良く、また上面にあっても良い。また、スライド部材１９は下部ユニット３に設けたが上部ユニット２に設けても良く、更に本発明を適用出来る電子機器は電子手帳、電子辞書、電卓等に限らず、例えば折畳式の携帯電話、電子カメラ等他の電子機器にも適用出来るものである。更に、スライド部材１９は２つの位置で固定するようにしたが、３つ或いはそれ以上の位置で固定出来る様にして複数の傾斜角度で上部ユニット２を保持出来る様にしても良い。
【００２８】
【発明の効果】
以上のように、本発明に依れば、スライド部材の位置選択のみで上部ユニットを傾斜状態に保持でき表示部を使用者に見やすい状態にできる効果を有する。
【図面の簡単な説明】
【図１】第一の実施の形態の電子機器の使用しない状態の外観図である。
【図２】第一の実施の形態の電子機器の使用している状態の外観図である。
【図３】第一の実施の形態の電子機器の図２の状態の裏面の外観図である。
【図４】第一の実施の形態の電子機器の下部ユニットの拡大斜視図である。
【図５】第一の実施の形態の電子機器の拡大断面図である。
【図６】第二の実施の形態の電子機器の傾斜した状態の外観図である。
【図７】第二実施の形態の電子機器の開いた状態の外観図である。
【図８】第二実施の形態の電子機器の拡大断面図である。
【符号の説明】
１  電子機器本体
２  上部ユニット
３  下部ユニット
４  ヒンジ部
５  上ケース
６  上ケース蓋
１１  下ケース
１２  下ケース底
１８  操作部
１９  スライド部材
２３  先端部
２４  凸部
２５  バネ弾性部
２７，２８  保持溝
３４  ストッパ
【図１】
2004280746.tif 000003
【図２】
2004280746.tif 000004
【図３】
2004280746.tif 000005
【図４】
2004280746.tif 000006
【図５】
2004280746.tif 000007
【図６】
2004280746.tif 000008
【図７】
2004280746.tif 000009
【図８】
2004280746.tif 000010